(57)【要約】【課題】実運転時の熱膨張による径方向隙間を極小化して漏れ損失を低減することのできる高効率のスクロール圧縮機を提供すること。【解決手段】固定スクロール６と旋回スクロール９を概ね同等な熱膨張係数の材料で構成し、固定スクロールラップ６ｂと旋回スクロールラップ９ａの渦巻き曲線形状が関数で表現され、渦巻き曲線関数の伸開角の係数が固定スクロールラップ６ｂと旋回スクロールラップ９ａとで異なるものとすることにより、実運転時の固定スクロール６と旋回スクロール９の温度差によるスクロールラップ６ｂ、９ａ径方向の熱膨張量の差や圧力差によるスクロールラップ６ｂ、９ａ径方向の変形を考慮して固定スクロールラップ６ｂと旋回スクロールラップ９ａをそれぞれ独自の適正な形状に設計することにより、実運転時の径方向隙間を極小化して漏れ損失を低減することができ、高効率化が可能である。【選択図】図１
2010019176.tif 000002
【特許請求の範囲】
【請求項１】
固定スクロールの一部をなす固定鏡板の一面に直立して形成された渦巻き状の固定スクロールラップと、旋回スクロールの一部をなす旋回鏡板の一面に直立して形成された渦巻き状の旋回スクロールラップを互いに噛み合わせて、両スクロール間に三日月形の一対の圧縮空間を形成し、前記各圧縮空間が吸入側より吐出側に向けて連続移行する複数個の圧縮室に区画されて流体を圧縮すべく容積変化するスクロール圧縮機であって、
前記固定スクロールと前記旋回スクロールを概ね同等な熱膨張係数の材料で構成し、前記固定スクロールラップと前記旋回スクロールラップの渦巻き曲線形状が関数で表現され、渦巻き曲線関数の伸開角の係数が前記固定スクロールラップと前記旋回スクロールラップとで異なることを特徴とするスクロール圧縮機。
【請求項２】
固定スクロールと旋回スクロールのうち、温度が高い方のラップの渦巻き曲線関数の伸開角の係数を他方のラップの渦巻き曲線関数の伸開角の係数よりも小さく構成した請求項１記載のスクロール圧縮機。
【請求項３】
固定スクロールと旋回スクロールのうち、吐出口が設けられた方のラップの渦巻き曲線関数の伸開角の係数を他方のラップの渦巻き曲線関数の伸開角の係数よりも小さく構成した請求項２記載のスクロール圧縮機。
【請求項４】
固定スクロールと旋回スクロールのうち、吐出口が設けられた方の反ラップ側の面の概ね全面が略吐出圧力の高圧ガスにさらされている請求項３記載のスクロール圧縮機。
【請求項５】
圧縮機構部を収納する密閉容器の内部が略吐出圧力となる高圧型である請求項１〜４のいずれか１項に記載のスクロール圧縮機。
【請求項６】
固定スクロールラップと旋回スクロールラップの渦巻き曲線がインボリュート曲線である請求項１〜５のいずれか１項に記載のスクロール圧縮機。
【請求項７】
固定スクロールラップと旋回スクロールラップの渦巻き曲線が代数螺旋である請求項１〜５のいずれか１項に記載のスクロール圧縮機。
【請求項８】
作動流体として二酸化炭素を用いた請求項１〜７のいずれか１項に記載のスクロール圧縮機。
【発明の詳細な説明】
【技術分野】
【０００１】
本発明は、空調機、冷凍機、ブロワ、給湯機等に使用されるスクロール圧縮機に関するものである。
【背景技術】
【０００２】
鏡板上に渦巻きラップを形成した固定スクロールと旋回スクロールをかみ合わせ複数の圧縮室を形成し、旋回スクロールに偏心部を有するクランク軸を連結させ、オルダムリングを用いて自転を防止し旋回運動をさせることで、中心に向かって容積を減少させながら圧縮を行っていくスクロール圧縮機において、旋回スクロールラップ外壁と固定スクロールラップ内壁、および旋回スクロールラップ内壁と固定スクロールラップ外壁は全てのクランク角において常にシール点を持つ。
【０００３】
このシール点での圧縮室間の流体漏れを防止して圧縮効率を向上させるために、ラップの壁面同士を接触させて隙間を可能な限り小さくする方法が一般的にとられる。
【０００４】
しかしながら、ラップ壁面同士の接触によって異常摩耗や焼き付きが発生しやすくなるため、何らかの対策を施す必要が生じることがほとんどである。
【０００５】
その一つの対策として、ラップ壁面を接触させることをやめてオイルによってシール性を保つ方法があるが、圧縮室内のシールオイルを増やす必要があるためオイル粘性損失の増加による機械効率低下や高温オイルが冷媒を加熱、膨張させることによる体積効率と圧縮効率低下を招きやすく、様々な運転条件下での最適オイル量コントロールも容易ではなく、高効率化には不向きである。
【０００６】
一方、ラップ壁面同士を接触させる構成ではシールオイルの供給を極小化できるため、容易に高効率化が可能であることから、ラップ壁面を常に接触させながら、その摺動状態を改善させるための様々な対策がとられてきた。
【０００７】
その一つの対策は、例えば固定スクロールを鋳鉄材、旋回スクロールをアルミ材とする等、双方を異なる材質とするものである。
【０００８】
これらの材質の組合せにより、特に表面改質を行うことなく良好なラップ壁面摺動状態を維持できるだけでなく、旋回スクロールが軽量化されることで高速運転も可能であり、様々な利点がある。
【０００９】
しかし、アルミ材と鋳鉄材の熱膨張係数は大きく異なり、アルミ材の熱膨張係数は鋳鉄材の２倍近くにもなることから、実運転中の高温状態ではアルミ材の旋回スクロールが鋳鉄材の固定スクロールよりも大きく径方向に膨張し、旋回スクロールラップの巻き終り（最外周）から巻き始めに向かって３６０度の範囲の外壁のみが接触点となり、外壁のそれ以外の範囲および内壁全体でのシール点では圧縮機の効率に影響を及ぼすほどの径方向隙間が生じる。
【００１０】
この問題を解決するために、図１２に示す特許文献１のスクロール圧縮機では、インボリュート曲線で形成された固定スクロール１０４および旋回スクロール１０５が熱膨張係数の異なる材料である場合に、熱膨張係数の大きい材料の方のラップ１０４ｂ、１０５ｂの基礎円半径を他方のラップ１０４ｂ、１０５ｂの基礎円半径よりも小さくしている。
【００１１】
すなわち、固定スクロール１０４が鋳鉄材、旋回スクロール１０５がアルミ材の場合には、熱膨張係数の大きい旋回スクロールラップ１０５ｂの基礎円半径を熱膨張係数の小さい固定スクロールラップ１０４ｂの基礎円半径よりも小さくすることで、実運転中の高温状態におけるシール点での径方向隙間を縮小し、漏れ損失を低減している。
【特許文献１】特許第３１０９３５９号公報
【発明の開示】
【発明が解決しようとする課題】
【００１２】
上記従来の構成は、固定スクロールと旋回スクロールの熱膨張係数が異なるため、ラップ径方向の熱膨張と同様にラップ軸方向の熱膨張も発生する。
【００１３】
それに対応するため、熱膨張係数の大きい方のラップ高さを他方のラップ高さよりも小さくしてある程度の軸方向隙間を設けることが一般的である。
【００１４】
しかしながら、圧縮機の運転条件は様々に変化し、それに伴って圧縮機構部の温度も一定ではないため、過負荷運転等の最高温度時にラップ上面がそれに対面するラップ溝底面と接触しないように軸方向隙間を設定すると、通常の定格条件等の中程度の温度の時には少なからず軸方向隙間が生じ、漏れ損失が発生してしまう。
【００１５】
したがって、年間を通じて比較的発生確率の高い定格条件等の中負荷、中温運転における圧縮機の高効率化を行うためには、温度の変化に対して軸方向隙間の変化が小さくなるように固定スクロールと旋回スクロールの熱膨張係数を概ね同一とすることが推奨される。
【００１６】
それにより、運転時の固定スクロールと旋回スクロールの温度がほぼ同じであれば、熱膨張による径方向隙間の発生を抑制できるとともに、軸方向隙間を最小限に設定することができる。
【００１７】
しかしながら、固定スクロールの反ラップ側の圧力や温度の環境と旋回スクロールの反ラップ側の圧力や温度の環境は実際には大きく異なるため、固定スクロールと旋回スクロールには温度差が存在することがほとんどである。
【００１８】
特に、固定スクロールに吐出口が設けられ、固定スクロールの反ラップ側に吐出空間があるような一般的な構成では、実際には旋回スクロールよりも固定スクロールの方が温度が高くなる傾向がある。
【００１９】
これは、定格条件等の通常運転時では圧縮機構部の各部品の温度よりも吐出ガスの温度の方が高く、吐出ガスにさらされている面積の大きい固定スクロールの方が受熱して温度が高くなりやすいためであり、固定スクロールと旋回スクロールが概ね同一の熱膨張係数でも固定スクロールの方が熱膨張量は大きくなる。
【００２０】
また、同時に形成される複数の圧縮室はそれぞれ異なる圧力を持ち、固定スクロールラップおよび旋回スクロールラップには内外壁の圧力差による径方向の圧力変形が生じている。
【００２１】
同様に、固定スクロールと旋回スクロールには圧力差によって軸方向荷重が加わり、その圧力変形によってスクロールラップは径方向に変位していることから、実運転時のスクロールラップ形状は圧力によっても径方向に複雑に変形している。
【００２２】
それらの熱膨張と圧力変形の結果、固定スクロールと旋回スクロールのラップは理論形
状とは若干異なる形状となるため、同時に存在する複数のシール点のうちで一点のみが接触点となり、他のシール点に径方向隙間が生じて漏れ損失を招くことになる。
【００２３】
本発明は、前記従来の課題を解決するもので、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数を固定スクロールラップと旋回スクロールラップとで異なるものとすることにより、実運転時の固定スクロールと旋回スクロールの温度差によるスクロールラップ径方向の熱膨張量の差や、圧力差によるスクロールラップ径方向の変形を考慮して固定スクロールラップと旋回スクロールラップをそれぞれ独自の適正な形状に設計でき、同時に存在する複数のシール点での実運転時の径方向隙間を極小化して漏れ損失を低減することのできる高効率のスクロール圧縮機を提供することを目的とする。
【課題を解決するための手段】
【００２４】
前記従来の課題を解決するために、本発明のスクロール圧縮機は、請求項１記載のとおり、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数が固定スクロールラップと旋回スクロールラップとで異なるものである。
【００２５】
従来の構成では固定スクロールと旋回スクロールの温度差による熱膨張量差と圧力変形によって実運転時の径方向隙間が大きくなり、大きな漏れ損失を招いていたものが、本構成によれば、実運転時の固定スクロールと旋回スクロールの温度差によるスクロールラップ径方向の熱膨張量の差や圧力差によるスクロールラップ径方向の変形を考慮して固定スクロールラップと旋回スクロールラップをそれぞれ独自の適正な形状に設計することにより、実運転時の径方向隙間を極小化して漏れ損失を低減することができ、高効率化が可能である。
【発明の効果】
【００２６】
本発明のスクロール圧縮機は、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数を固定スクロールラップと旋回スクロールラップとで異なるものとすることにより、漏れ損失の低減による高効率化が可能である。
【発明を実施するための最良の形態】
【００２７】
第１の発明は、固定スクロールの一部をなす固定鏡板の一面に直立して形成された渦巻き状の固定スクロールラップと、旋回スクロールの一部をなす旋回鏡板の一面に直立して形成された渦巻き状の旋回スクロールラップを互いに噛み合わせて、両スクロール間に三日月形の一対の圧縮空間を形成し、各圧縮空間が吸入側より吐出側に向けて連続移行する複数個の圧縮室に区画されて流体を圧縮すべく容積変化するスクロール圧縮機であって、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数を固定スクロールラップと旋回スクロールラップとで異なるものとすることにより、実運転時の固定スクロールと旋回スクロールの温度差によるスクロールラップ径方向の熱膨張量の差や圧力差によるスクロールラップ径方向の変形を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００２８】
第２の発明は、特に、第１の発明のスクロール圧縮機において、固定スクロールと旋回
スクロールのうち、温度が高い方のラップの渦巻き曲線関数の伸開角の係数を他方のラップの渦巻き曲線関数の伸開角の係数よりも小さく構成することにより、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００２９】
実運転時のスクロールラップの径方向変位に関する発明者らの検討によると、圧力差による径方向変位が数ミクロン程度であるのに対し、固定スクロールと旋回スクロールの温度差による相対的な径方向変位は数十ミクロンであり、径方向隙間は温度差の影響を大きく受けている。
【００３０】
したがって、実運転時の径方向隙間を極小化して漏れ損失を低減させるためには、固定スクロールと旋回スクロールの温度差を把握し、温度の高い方のラップの渦巻き曲線関数の伸開角の係数を他方のラップの渦巻き曲線関数の伸開角の係数よりも小さくすれば効果は大きい。
【００３１】
第３の発明は、特に、第２の発明のスクロール圧縮機において、固定スクロールと旋回スクロールのうち、吐出口が設けられた方のラップの渦巻き曲線関数の伸開角の係数を他方のラップの渦巻き曲線関数の伸開角の係数よりも小さく構成している。
【００３２】
通常の運転時、圧縮機構部とその付近の温度は、吐出口から吐き出される直前の圧縮室内部のガス温度が最も高く、その後吐出口から吐き出され、圧縮機内部を循環して吐出管から吐出されるまでの間に周囲の部品に熱伝達していく。
【００３３】
したがって、吐出口が設けられたスクロール部品は、他方のスクロール部品よりも高温の吐出ガスにさらされる時間および距離が長く、吐出ガスからの熱伝達によって高温になりやすい。
【００３４】
すなわち、固定スクロールと旋回スクロールのうち、吐出口が設けられた方の温度は他方の温度よりも高くなりやすいことから、上記構成により、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００３５】
第４の発明は、特に、第３の発明のスクロール圧縮機において、固定スクロールと旋回スクロールのうち、吐出口が設けられた方の反ラップ側の面の概ね全面が略吐出圧力の高圧ガスにさらされている。
【００３６】
この構成により、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００３７】
特に、密閉容器内のほとんどが吸入圧力である低圧型圧縮機においては、吐出口から吐き出された吐出ガスを圧縮機構部にほとんどさらすことなく吐出管から吐出させるためには別途部品が必要で、構成も複雑化するが、この構成ではその部品が不要で構成を簡易化することができ、複雑化によるコストアップを抑制することが可能である。
【００３８】
第５の発明は、特に、第１〜４のいずれか１つの発明のスクロール圧縮機において、圧縮機構部を収納する密閉容器の内部が略吐出圧力となる高圧型とすることにより、低温で低圧の吸入ガスを直接圧縮室に吸入することができるために吸入加熱を抑制でき、高い体積効率を実現することが可能であると同時に、吐出口から吐き出された最も高温の吐出ガスにさらされている方のスクロール部品と他方の温度差は非常に大きくなるため、実運転時の径方向隙間の極小化による漏れ損失低減効果はさらに大きくなる。
【００３９】
第６の発明は、特に、第１〜５のいずれか１つの発明のスクロール圧縮機において、固定スクロールラップと旋回スクロールラップの渦巻き曲線をインボリュート曲線とすることにより、スクロールラップ加工時のワーク回転と工具移動が外壁、内壁ともに比較的簡単で加工性が良く、高い歩留まりを実現することが可能である。
【００４０】
第７の発明は、特に、第１〜５のいずれか１つの発明のスクロール圧縮機において、固定スクロールラップと旋回スクロールラップの渦巻き曲線を代数螺旋とすることにより、渦巻き曲線を比較的小径化しやすく、容易に小型化が可能である。
【００４１】
また、ラップ形状を代数的に自由に変化させることができるため、ラップの厚みを中心部から外周部に向かって変化させることも容易で、中心部でラップ厚みを大きくして強度を確保し、外周部でラップ厚みを小さくして行程容積を大きく確保するといった自由な設計が可能である。
【００４２】
第８の発明は、特に、第１〜７のいずれか１つの発明のスクロール圧縮機において、作動流体として二酸化炭素を用いている。
【００４３】
二酸化炭素冷媒は高温度差加熱に有利であることからヒートポンプ給湯機に適しており、８０℃以上の高温の出湯温度を確保するために圧縮機の吐出温度を９０℃以上の非常に高い温度に設定する必要がある。
【００４４】
そのため、圧縮機構部の温度も非常に高く、それに伴って固定スクロールと旋回スクロールの温度差も拡大する方向である。
【００４５】
したがって、実運転時の径方向隙間の極小化による漏れ損失低減効果はさらに大きくなる。
【００４６】
以下、本発明の実施の形態について、図面を参照しながら説明する。なお、この実施の形態によって本発明が限定されるものではない。
【００４７】
（実施の形態１）
図１は、本発明の実施の形態１におけるスクロール圧縮機の縦断面図である。
【００４８】
図１において、鉄製の密閉容器１の内部全体は吐出管２に連通する高圧雰囲気となり、その中央部に電動機３、上部に圧縮機構が配置され、電動機３の回転子３ａに固定されたクランク軸４の一端を支承する圧縮機構の本体フレーム５が密閉容器１に固定されており、その本体フレーム５に固定スクロール６が取り付けられている。
【００４９】
クランク軸４に設けられた軸方向の油通路７は、その一端が給油ポンプ装置８に通じ、他端が最終的に旋回スクロール９の偏心軸受１０に通じている。固定スクロール６と噛み合って圧縮室１１を形成する旋回スクロール９は、渦巻き状の旋回スクロールラップ９ａと偏心軸受１０とを直立させた旋回鏡板９ｂとからなり、固定スクロール６と本体フレーム５との間に配置されている。
【００５０】
固定スクロール６は、固定鏡板６ａと渦巻き状の固定スクロールラップ６ｂとからなり、固定スクロールラップ６ｂの中央部に吐出口１２と吐出口１２に通じる吐出室１３、外周部に吸入口１４および圧縮が開始されるまでの流体通路である吸入室１５が配置されている。
【００５１】
クランク軸４の主軸から偏心してクランク軸４の上端部に配置された偏心軸１６は、旋回スクロール９の偏心軸受１０と係合摺動すべく構成されている。旋回鏡板９ｂの背面９ｃと、旋回スクロール９の軸方向への移動を規制する本体フレーム５に設けられたスラスト拘束面５ａとの間は、微小な隙間が設けられている。本体フレーム５のスラスト拘束面５ａには環状シール部材１７が遊合状態で装着されており、その環状シール部材１７はその内側の背面室１８と外側の背圧室１９とを仕切っている。
【００５２】
給油ポンプ装置８によって吸い上げられたオイルはクランク軸４の油通路７を通り旋回スクロール９の偏心軸受１０と偏心軸１６との間に形成された軸方向の内部空間２０へ導かれ、一方は旋回スクロール９の旋回鏡板背面９ｃに設けられた絞り部２１を経由して固定スクロール６と本体フレーム５とによって囲まれて形成される背圧室１９へと通じ、旋回スクロール９を固定スクロールラップ６ｂに押さえつける機能を持った背圧調整弁２２、オイル供給通路２２ａを通って吸入室１５へと導かれる。もう一方は偏心軸受１０、背面室１８、主軸受２３を通り圧縮機構外部へ排出される。
【００５３】
吐出口１２の出口側を開閉する逆止弁装置２４が固定スクロール６の固定鏡板６ａの平面上に取り付けられており、その逆止弁装置２４は薄鋼板製のリード弁２４ａと弁押さえ２４ｂとからなる。
【００５４】
クランク軸４の下端は密閉容器１内に溶接や焼き嵌めして固定された副軸受け２５により軸受けされ、安定に回転することができる。副軸受け２５はジャーナル軸受け構成となっており、給油ポンプ装置８によって吸い上げられたオイルの一部が副軸受け２５へと供給される。
【００５５】
圧縮機構にて圧縮されて吐出口１２から吐出された直後のガスと、吐出管２から吐出される直前のガスはマフラー２６によって仕切られ、吐出口１２から吐出された直後のガスはマフラー２６の内部空間を経由して、圧縮機構外周部付近に設けられた下向きガス流路２７を通り、図示された点線矢印のごとく回転子３ａ上部へと導かれる。ここで主軸受け２３などを潤滑後排出されたオイルと合流し、回転子３ａ内部に設けられた回転子通路３ｂを介して回転子３ａ下部へと到達後、ガスとオイルの混合流が遠心力によって固定子３ｃ下部コイルエンドに衝突し、気液分離される。気液分離後のガスは固定子３ｃ外周に設けられた固定子通路３ｄを介して電動機３上部へと導かれ、圧縮機構に設けられた図示されていない上向きガス流路を通って圧縮機構上側空間へ到達後、吐出管２から密閉容器１外部へと吐出される。
【００５６】
固定スクロール６と旋回スクロール９、本体フレーム５はいずれも鋳鉄製であり、熱膨張係数は概ね同一である。
【００５７】
図２および図３は図１における固定スクロールラップ６ｂおよび旋回スクロールラップ９ａの正面図であり、各ラップは渦巻き曲線であるインボリュート曲線で表現されている。
【００５８】
図４に示すインボリュート曲線は、伸開角をθ、基礎円半径をａとすると、デカルト座標系で以下の関数で表される。
ｘ＝ａ（ｃｏｓθ＋θｓｉｎθ）
ｙ＝ａ（ｓｉｎθ＋θｃｏｓθ）
これを基準曲線とし、旋回半径εで旋回したときの基準曲線が描く二つの包絡線のうち外側包絡線は以下の関数で表される。
ｘ＝ａ（ｃｏｓ（θ−ε／ａ）＋θｓｉｎ（θ−ε／ａ））
ｙ＝ａ（ｓｉｎ（θ−ε／ａ）＋θｃｏｓ（θ−ε／ａ））
同様に、内側包絡線は以下の関数で表される。
ｘ＝ａ（ｃｏｓ（θ＋ε／ａ）＋θｓｉｎ（θ＋ε／ａ））
ｙ＝ａ（ｓｉｎ（θ＋ε／ａ）＋θｃｏｓ（θ＋ε／ａ））
固定スクロールラップ６ｂおよび旋回スクロールラップ９ａの一方のラップの外壁を上述の基準曲線の関数で表現すると、それに組み合わされる他方のラップの内壁は外側包絡線の関数で表現されることになる。
【００５９】
図２および図３において、固定スクロールラップ６ｂおよび旋回スクロールラップ９ａは前述のインボリュート曲線の関数によって表現され、固定スクロールラップ６ｂの伸開角θの係数ａｓ、すなわち固定スクロールラップ基礎円６ｃの半径は旋回スクロールラップ９ａの伸開角θの係数ａｏ、すなわち旋回スクロールラップ基礎円９ｄの半径よりも小さい。
【００６０】
なお、できるだけ明確に違いが分かるよう、図２および図３の基礎円６ｃ、９ｄの半径の比率は比較的大きくしている。
【００６１】
以上のように構成されたスクロール圧縮機について、以下その動作、作用を説明する。
【００６２】
スクロール圧縮機は類似した二つの渦巻きラップを互いに噛み合わせて相対的に旋回運動を行い、ラップで形成された三日月形の圧縮室の容積が徐々に縮小することによって圧縮を行うものである。
【００６３】
図５は基礎円半径が同一の固定スクロール６と旋回スクロール９とが組み合わされて旋回運動を行う圧縮過程を示したもので、図５（ａ）は旋回スクロール９のラップ外壁９ｅ側で吸入ガスを閉じ込んだ瞬間のクランク角を示し、以後、９０度のクランク角毎に（ｂ）、（ｃ）、（ｄ）を示している。
【００６４】
図５（ｂ）に示すとおり、旋回スクロールラップ外壁９ｅ側の第１の圧縮室１１ａは、旋回スクロールラップ外壁９ｅと固定スクロールラップ内壁６ｄ、固定スクロールラップ溝底面６ｅ、旋回スクロールラップ底面９ｆの四つの面によって形成され、圧力の異なる周囲の圧縮室との間をオイルによってシールしている。
【００６５】
圧縮機運転中、旋回スクロール９は固定スクロール６に圧力差によって軸方向に強く押し付けられ、固定スクロールラップ上面６ｆと旋回スクロールラップ溝底面９ｆとの間にはほとんど隙間が生じないが、旋回スクロールラップ上面９ｇと固定スクロールラップ溝底面６ｅとの間には熱時にも摺動しないように微小な軸方向隙間が設けられている。
【００６６】
過負荷運転等の最高温度時に旋回スクロールラップ上面９ｇが固定スクロールラップ溝底面６ｅと接触しないようにするため、この軸方向隙間は固定スクロール６と旋回スクロール９の熱膨張係数の比率が大きくなればなるほど大きめに設定する必要があり、通常の定格条件等の中程度の温度の時には少なからず軸方向隙間が生じることから、軸方向隙間での漏れ損失を最小限に抑制するためには固定スクロール６と旋回スクロール９の熱膨張係数を概ね同一にして軸方向隙間の設定を可能な限り小さくすることが望ましい。
【００６７】
本実施例では、固定スクロール６と旋回スクロール９の材質はともに鋳鉄としているが、鋳鉄でも組成や製造方法等によって熱膨張係数は若干異なる。また、鋳鉄と炭素鋼の熱膨張係数もほとんど同一ではあるが、やはり若干異なる。
【００６８】
しかし、軸方向隙間での漏れ損失に対する影響は小さく、固定スクロール６と旋回スクロール９の熱膨張係数が概ね同一であれば大きな問題はない。
【００６９】
一方、旋回スクロール９に加わる圧力、遠心力および偏心軸受１０の油膜力のバランスにより、旋回スクロール９にはクランク軸４の偏芯方向に力が発生し、この押接力によって径方向にも固定スクロール６に適度に押し付けられているため、固定スクロール６と旋回スクロール９の運転時の温度が同じであれば、第１の圧縮室１１ａの両端部の旋回スクロール外壁第１シール点２８ａと第２シール点２８ｂは両方とも接触点となり、径方向隙間は生じない。
【００７０】
第１の圧縮室１１ａがこのクランク角からさらに３６０度進んだときの両端部の旋回スクロール外壁第２シール点２８ｂと第３シール点２８ｃも同様に径方向隙間は生じない。
【００７１】
また、旋回スクロールラップ内壁９ｈと固定スクロールラップ外壁６ｇとで形成される第２の圧縮室１１ｂの両端部の旋回スクロール内壁第１シール点２９ａと第２シール点２９ｂ、および他のクランク角での圧縮室１１の各シール点２８ａ、２８ｂ、２８ｃ、２９ａ、２９ｂでも同様に径方向隙間は生じない。
【００７２】
すなわち、固定スクロール６と旋回スクロール９の基礎円半径が同じであると同時に、熱膨張係数と温度が同じであれば、両スクロール６，９の熱膨張量は同じであり、理論上のインボリュート曲線と同様に全てのシール点が接触点となる。
【００７３】
しかしながら、固定スクロール６は吐出口１２から吐出されたばかりの最も高温状態の吐出ガスが固定スクロール６とマフラー２６との間に充満し非常に高温になりやすい一方、旋回スクロール９はある程度冷却後に密閉容器１下部に溜まってから吸い上げられたオイルが旋回スクロール９と本体フレーム５との間に充満しているため、固定スクロール６よりも温度が低い。
【００７４】
したがって、固定スクロール６と旋回スクロール９の基礎円半径が同一の場合、熱膨張係数が同じであっても、固定スクロール６の方が旋回スクロール９よりも温度が高い状態で運転され、固定スクロール６の径方向の熱膨張量は旋回スクロール９よりも大きくなるため、例えば図６のクランク角では、旋回スクロール内壁第１シール点２９ａが接触点となり、他の４つのシール点２８ａ、２８ｂ、２８ｃ、２９ｂには漏れ損失を招く径方向隙間が生じる。
【００７５】
そこで、本実施の形態１では図２および図３に示すとおり、固定スクロールラップ６ｂの基礎円６ｃの半径を旋回スクロールラップ９ａの基礎円９ｄの半径よりも小さく設定している。
【００７６】
組み付けや圧縮機起動直後等の冷時のように、固定スクロール６と旋回スクロール９に温度差が無いときには、図７のように旋回スクロール外壁第１シール点２８ａが接触点で、他の４つのシール点２８ｂ、２８ｃ、２９ａ、２９ｂには径方向隙間がある。
【００７７】
しかし、高効率が求められる定格条件等の熱時運転状態で固定スクロール６と旋回スクロール９に温度差が生じているときには、図８のように５つの全てのシール点２８ａ、２８ｂ、２８ｃ、２９ａ、２９ｂが同時に接触点となり、径方向隙間の発生を抑制して漏れ
損失を低減することができる。
【００７８】
これらの径方向隙間の発生状況を全クランク角でプロットしたグラフで説明する。
【００７９】
図９は固定スクロールラップ６ｂと旋回スクロールラップ９ａの基礎円半径が同一である場合の、（ａ）は冷時の径方向隙間、（ｂ）は熱時の径方向隙間を示す特性図であり、横軸にはクランク角をとっている。
【００８０】
縦軸の径方向隙間は、主軸受２３と偏心軸受１０の中心間の距離がクランク軸４の偏心軸１６偏心量と同じとして、すなわちクランク軸４の各軸が各軸受１０，２３の中心に位置しているとして計算している。
【００８１】
したがって、あるクランク角において径方向隙間の最小値がマイナスであるとき、実際にはそのシール点が接触点となり、そのマイナス分を各軸受１０，２３の隙間が吸収していることになる。
【００８２】
前述のとおり、固定スクロールラップ６ｂと旋回スクロールラップ９ａの基礎円半径が同一である場合、冷時のシール点２８ａ、２８ｂ、２８ｃ、２９ａ、２９ｂでの径方向隙間は図９（ａ）のようにクランク角によらず全て一定で、ゼロとなる。
【００８３】
熱時の固定スクロール６と旋回スクロール９に温度差が生じている時の径方向隙間は図９（ｂ）のように不均一となる。ここで、下側の３本の細線は旋回スクロール外壁シール点２８ａ、２８ｂ、２８ｃでの径方向隙間、上側の３本の太線は旋回スクロール内壁シール点２９ａ、２９ｂでの径方向隙間である。そして、各クランク角で径方向隙間が最小となるシール点、すなわち最も下側の線が接触点となり、その他の線のシール点では大きな径方向隙間が生じている。
【００８４】
一方、図１０は固定スクロールラップ６ｂの基礎円半径が旋回スクロールラップ９ａの基礎円半径よりも小さい場合の、（ａ）は冷時の径方向隙間、（ｂ）は熱時の径方向隙間である。縦軸の径方向隙間の定義は図８と同様である。
【００８５】
図１０（ａ）の冷時には大きな径方向隙間が生じていたものが、熱時になると固定スクロール６と旋回スクロール９の温度差によって図１０（ｂ）のように均一化され、全てのシール点２８ａ、２８ｂ、２８ｃ、２９ａ、２９ｂを極小化することで漏れ損失を低減することができる。
【００８６】
なお、固定スクロール６の温度が旋回スクロール９よりも高くなるような構成、例えば固定スクロール６に吐出口１２が設けられた上記の一般的な構成であれば、負荷の上昇、すなわち温度の上昇に伴って旋回スクロールラップ上面９ｇと固定スクロールラップ溝底面６ｅとの間の軸方向隙間は拡大する方向であることから、定格条件等高効率の要求される運転条件で軸方向隙間を極小化できるように設定することは容易であり、固定スクロール６と旋回スクロール９に温度差がある場合でも、軸方向隙間と径方向隙間の両方を極小化して漏れ損失を低減し、高効率を実現することが可能である。
【００８７】
また、固定スクロール６および旋回スクロール９の圧力変形によってインボリュート曲線に対してずれが発生したり、固定スクロール６および旋回スクロール９が非対称形状であることや他の部品が取り付け、圧入されること等により、スクロールラップ６ｂ、９ａ形状が加工後、熱膨張後および圧力変形後にインボリュート曲線に対してずれることがあるが、それらによる実運転時の径方向隙間の不均一状態に対しても、スクロールラップ６ｂ、９ａの基礎円半径を適切に設計することで同様の効果が得られる。
【００８８】
さらに、本実施の形態１ではスクロールラップ６ｂ、９ａの渦巻き曲線にインボリュート曲線を選んだが、図１１に示すアルキメデス曲線に代表される代数螺旋を用いた場合、その代数螺旋はデカルト座標系で以下の関数で表される。
ｘ＝ａθｋｃｏｓθ
ｙ＝ａθｋｓｉｎθ
ここで、ｋは代数螺旋の指数であり、ｋの値を変えることで自由に曲線形状を変更することができる。
【００８９】
これを基準曲線とし、旋回半径εで旋回したときの基準曲線が描く二つの包絡線のうち外側包絡線は以下の関数で表される。
ｘ＝ａθｋｃｏｓθ＋εｃｏｓ（θ−ｔａｎ−１（ｋ／θ））
ｙ＝ａθｋｓｉｎθ＋εｓｉｎ（θ−ｔａｎ−１（ｋ／θ））
同様に、内側包絡線は以下の関数で表される。
ｘ＝ａθｋｃｏｓθ−εｃｏｓ（θ−ｔａｎ−１（ｋ／θ））
ｙ＝ａθｋｓｉｎθ−εｓｉｎ（θ−ｔａｎ−１（ｋ／θ））
これらの関数によって固定スクロールラップ６ｂおよび旋回スクロールラップ９ａが表現され、伸開角θの係数ａを固定スクロールラップ６ｂと旋回スクロールラップ９ａとで異なる値とすることによっても、実運転中の径方向隙間を極小化、均一化することが可能であり、インボリュート曲線を用いた場合と同様の効果が得られる。
【００９０】
加えて、本実施の形態１では、旋回スクロールラップ９ａを固定スクロールラップ６ｂに適度に押し付けて接触点を持たせる構成を説明したが、この構成に限ることはなく、旋回スクロールラップ９ａを固定スクロールラップ６ｂに押し付けずに運転する構成においても本発明の思想を適用することにより、実運転時の径方向隙間を最小限まで縮小、均一化することにより高効率化を実現できる。
【００９１】
なお、本実施の形態のスクロール圧縮機においては、作動流体として二酸化炭素を用いている。二酸化炭素冷媒は高温度差加熱に有利であることからヒートポンプ給湯機に適しており、８０℃以上の高温の出湯温度を確保するために圧縮機の吐出温度を９０℃以上の非常に高い温度に設定する必要がある。そのため、圧縮機構部の温度も非常に高く、それに伴って固定スクロールと旋回スクロールの温度差も拡大する方向である。
【００９２】
したがって、実運転時の径方向隙間の極小化による漏れ損失低減効果はさらに大きくなる。
【００９３】
以上の説明のように本実施の形態１のスクロール圧縮機によれば、固定スクロールの一部をなす固定鏡板の一面に直立して形成された渦巻き状の固定スクロールラップと、旋回スクロールの一部をなす旋回鏡板の一面に直立して形成された渦巻き状の旋回スクロールラップを互いに噛み合わせて、両スクロール間に三日月形の一対の圧縮空間を形成し、各圧縮空間が吸入側より吐出側に向けて連続移行する複数個の圧縮室に区画されて流体を圧縮すべく容積変化するスクロール圧縮機であって、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数を固定スクロールラップと旋回スクロールラップとで異なるものとすることにより、実運転時の固定スクロールと旋回スクロールの温度差によるスクロールラップ径方向の熱膨張量の差や圧力差によるスクロールラップ径方向の変形を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００９４】
また、本実施の形態１のスクロール圧縮機によれば、固定スクロールと旋回スクロールのうち、温度が高い方のラップの渦巻き曲線関数の伸開角の係数を他方のラップの渦巻き曲線関数の伸開角の係数よりも小さく構成することにより、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【００９５】
実運転時のスクロールラップの径方向変位に関する発明者らの検討によると、圧力差による径方向変位が数ミクロン程度であるのに対し、固定スクロールと旋回スクロールの温度差による相対的な径方向変位は数十ミクロンであり、径方向隙間は温度差の影響を大きく受けている。
【００９６】
したがって、実運転時の径方向隙間を極小化して漏れ損失を低減させるためには、固定スクロールと旋回スクロールの温度差を把握し、温度の高い方のラップの渦巻き曲線関数の伸開角の係数を他方のラップの渦巻き曲線関数の伸開角の係数よりも小さくすれば効果は大きい。
【００９７】
また、本実施の形態１のスクロール圧縮機によれば、固定スクロールと旋回スクロールのうち、吐出口が設けられた方のラップの渦巻き曲線関数の伸開角の係数を他方のラップの渦巻き曲線関数の伸開角の係数よりも小さく構成している。
【００９８】
通常の運転時、圧縮機構部とその付近の温度は、吐出口から吐き出される直前の圧縮室内部のガス温度が最も高く、その後吐出口から吐き出され、圧縮機内部を循環して吐出管から吐出されるまでの間に周囲の部品に熱伝達していく。
【００９９】
したがって、吐出口が設けられたスクロール部品は、他方のスクロール部品よりも高温の吐出ガスにさらされる時間および距離が長く、吐出ガスからの熱伝達によって高温になりやすい。
【０１００】
すなわち、固定スクロールと旋回スクロールのうち、吐出口が設けられた方の温度は他方の温度よりも高くなりやすいことから、上記構成により、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【０１０１】
また、本実施の形態１のスクロール圧縮機によれば、固定スクロールと旋回スクロールのうち、吐出口が設けられた方の反ラップ側の面の概ね全面が略吐出圧力の高圧ガスにさらされている。
【０１０２】
この構成により、実運転時の固定スクロールと旋回スクロールの温度差によるスクロールラップ径方向の熱膨張量の差を考慮して固定スクロールラップと旋回スクロールラップをそれぞれ独自の適正な形状に設計でき、同時に存在する複数のシール点での実運転時の径方向隙間を極小化して漏れ損失を低減することが可能である。
【０１０３】
特に、密閉容器内のほとんどが吸入圧力である低圧型圧縮機においては、吐出口から吐き出された吐出ガスを圧縮機構部にほとんどさらすことなく吐出管から吐出させるためには別途部品が必要で、構成も複雑化するが、この構成ではその部品が不要で構成を簡易化することができ、複雑化によるコストアップを抑制することが可能である。
【０１０４】
また、本実施の形態１のスクロール圧縮機によれば、圧縮機構部を収納する密閉容器の内部が略吐出圧力となる高圧型とすることにより、低温で低圧の吸入ガスを直接圧縮室に吸入することができるために吸入加熱を抑制でき、高い体積効率を実現することが可能であると同時に、吐出口から吐き出された最も高温の吐出ガスにさらされている方のスクロール部品と他方の温度差は非常に大きくなるため、実運転時の径方向隙間の極小化による漏れ損失低減効果はさらに大きくなる。
【０１０５】
また、本実施の形態１のスクロール圧縮機によれば、固定スクロールラップと旋回スクロールラップの渦巻き曲線をインボリュート曲線とすることにより、スクロールラップ加工時のワーク回転と工具移動が外壁、内壁ともに比較的簡単で加工性が良く、高い歩留まりを実現することが可能である。
【０１０６】
また、本実施の形態１のスクロール圧縮機によれば、固定スクロールラップと旋回スクロールラップの渦巻き曲線を代数螺旋とすることにより、渦巻き曲線を比較的小径化しやすく、容易に小型化が可能である。
【０１０７】
また、本実施の形態１のスクロール圧縮機によれば、ラップ形状を代数的に自由に変化させることができるため、ラップの厚みを中心部から外周部に向かって変化させることも容易で、中心部でラップ厚みを大きくして強度を確保し、外周部でラップ厚みを小さくして行程容積を大きく確保するといった自由な設計が可能である。
【０１０８】
さらに、本実施の形態１のスクロール圧縮機によれば、作動流体として二酸化炭素を用いている。
【０１０９】
二酸化炭素冷媒は高温度差加熱に有利であることからヒートポンプ給湯機に適しており、８０℃以上の高温の出湯温度を確保するために圧縮機の吐出温度を９０℃以上の非常に高い温度に設定する必要がある。
【０１１０】
そのため、圧縮機構部の温度も非常に高く、それに伴って固定スクロールと旋回スクロールの温度差も拡大する方向である。
【０１１１】
したがって、実運転時の径方向隙間の極小化による漏れ損失低減効果はさらに大きくなる。
【産業上の利用可能性】
【０１１２】
以上のように、本発明にかかるスクロール圧縮機は、固定スクロールと旋回スクロールを概ね同等な熱膨張係数の材料で構成し、固定スクロールラップと旋回スクロールラップの渦巻き曲線形状が関数で表現され、渦巻き曲線関数の伸開角の係数を異なるものとすることにより、実運転時の径方向隙間を極小化でき、漏れ損失の低減による高効率化が可能であり、ＨＦＣ系冷媒やＨＣＦＣ系冷媒を用いたエアーコンディショナーやヒートポンプ式給湯機のほかに、自然冷媒の二酸化炭素を用いたエアーコンディショナーやヒートポンプ式給湯機などの用途にも適用できる。
【図面の簡単な説明】
【０１１３】
【図１】本発明の実施の形態１におけるスクロール圧縮機の縦断面図
【図２】本発明の実施の形態１における固定スクロールラップを示す正面図
【図３】本発明の実施の形態１における旋回スクロールラップを示す正面図
【図４】本発明の実施の形態１におけるインボリュート曲線を説明する模式図
【図５】本発明の実施の形態１におけるスクロール圧縮機の圧縮過程図
【図６】同一基礎円半径での運転時のスクロールラップの組合せを説明する模式図
【図７】本発明の実施の形態１における冷時のスクロールラップ組合せを説明する模式図
【図８】本発明の実施の形態１における運転時のスクロールラップ組合せを説明する模式図
【図９】同一基礎円半径での径方向隙間を示す特性図
【図１０】本発明の実施の形態１における径方向隙間を示す特性図
【図１１】本発明の実施の形態１における代数螺旋を説明する模式図
【図１２】従来のスクロール圧縮機における圧縮機構部を示す要部断面図
【符号の説明】
【０１１４】
１  密閉容器
６  固定スクロール
６ａ  固定鏡板
６ｂ  固定スクロールラップ
６ｃ  固定スクロールラップ基礎円
９  旋回スクロール
９ａ  旋回スクロールラップ
９ｂ  旋回鏡板
９ｄ  旋回スクロールラップ基礎円
１１  圧縮室
１２  吐出口
【図１】
2010019176.tif 000003
【図２】
2010019176.tif 000004
【図３】
2010019176.tif 000005
【図４】
2010019176.tif 000006
【図５】
2010019176.tif 000007
【図６】
2010019176.tif 000008
【図７】
2010019176.tif 000009
【図８】
2010019176.tif 000010
【図９】
2010019176.tif 000011
【図１０】
2010019176.tif 000012
【図１１】
2010019176.tif 000013
【図１２】
2010019176.tif 000014